(57)【要約】【課題】一旦内部に入った虫が外部に逃げ難いようにして捕獲効率を良くし、また捕獲した虫の廃棄処理が簡単にできるようにした捕虫装置を提供する。光に集まった虫が目立ち難くし、更にケース内に浸入した雨水等が内部に溜まらないようにした捕虫装置を提供する。【解決手段】虫を誘引して捕獲する捕虫装置であって、内部に空間部を有する捕虫ケースと、虫を捕虫ケース内部に誘引する誘引灯と、誘引灯の光を捕虫ケース外部へ出し、かつ、虫を捕虫ケース内部に導入する虫導入口と、虫導入口から捕虫ケース内部に入った虫が捕虫ケース外部へ逃げ難いようにする虫かえし手段と、捕虫ケースに着脱可能に設けられ、虫の死骸を集めるための虫集積部と、捕虫ケース内部に入った虫を虫集積部に導入する集積部導入口と、虫集積部内部に入った虫が虫集積部外部へ逃げ難いようにする虫かえし手段を備えている。【選択図】　　　　図１
2004081081.tif 000002
【特許請求の範囲】
【請求項１】
虫を誘引して捕獲する捕虫装置であって、
内部に空間部を有する捕虫ケースと、
虫を捕虫ケース内部に誘引する誘引灯と、
誘引灯の光を捕虫ケース外部へ出し、かつ、虫を捕虫ケース内部に導入する虫導入口と、
虫導入口から捕虫ケース内部に入った虫が捕虫ケース外部へ逃げ難いようにする虫かえし手段と、
捕虫ケースに着脱可能に設けられ、虫の死骸を集めるための虫集積部と、
捕虫ケース内部に入った虫を虫集積部に導入する集積部導入口と、
虫集積部内部に入った虫が虫集積部外部へ逃げ難いようにする虫かえし手段と、
を備えていることを特徴とする、
捕虫装置。
【請求項２】
虫を誘引して捕獲する捕虫装置であって、
内部に空間部を有する捕虫ケースと、
虫を捕虫ケース内部に誘引する誘引灯と、
誘引灯の光を捕虫ケース外部へ透過させる透光部と、
透光部またはその近傍に設けてあり、虫を捕虫ケース内部に導入する虫導入口と、
虫導入口から捕虫ケース内部に入った虫が捕虫ケース外部へ逃げ難いようにする虫かえし手段と、
捕虫ケースに着脱可能に設けられ、虫の死骸を集めるための虫集積部と、
捕虫ケース内部に入った虫を虫集積部に導入する集積部導入口と、
虫集積部内部に入った虫が虫集積部外部へ逃げ難いようにする虫かえし手段と、
を備えていることを特徴とする、
捕虫装置。
【請求項３】
虫集積部は、虫が重力によって落ちて集められる箇所に設けてあることを特徴とする、
請求項１または２記載の捕虫装置。
【請求項４】
虫導入口が捕虫ケースの上面となる位置に設けてあり、捕虫ケースの上面以外からは光が実質的に外部に漏れないようにしてあることを特徴とする、
請求項１，２または３記載の捕虫装置。
【請求項５】
虫集積部は、捕虫ケース内部に浸入した水が溜まらないようにする水抜き手段を備えていることを特徴とする、
請求項１，２，３または４記載の捕虫装置。
【発明の詳細な説明】
【０００１】
【発明の属する技術分野】
本発明は捕虫装置に係り、更に詳しくは、一旦内部に入った虫が外部に逃げ難いようにして捕獲効率を良好にしたものに関する。また、捕獲した虫の廃棄処理が簡単にできるようにしたものに関する。更に、光に集まった虫が目立ち難くしたものに関する。更にまた、ケース内に雨水等が浸入しても内部に溜まらないようにしたものに関する。
【０００２】
【従来技術】
従来から蚊やハエ、蛾や黄金虫等の害虫を捕獲する装置として捕虫装置が広く用いられている。
捕虫装置としては、例えば、特開２００１−１６９７０９号公報に開示されたもののように、虫の好む波長を発する蛍光ランプを利用したものがある。
【０００３】
上記公報記載の捕虫装置は、透光性カバーの内部に誘虫ランプが設けてあり、透光性カバーに虫導入孔が形成された構造を有している。
この捕虫装置は、誘虫ランプを点灯させることによって虫を誘引し、虫導入孔を通して内部に入り込んだ虫をカバー内で死滅させて捕獲するものである。虫の死骸は透光性カバーの底部に溜まる。
【０００４】
【発明が解決しようとする課題】
しかし、上記した従来の捕虫装置には、次のような課題があった。
▲１▼内部に入り込んだ虫が飛び回る部分と、死骸を溜める部分とが透光性カバー内の同じ空間にあり、虫の逃げを防止する構造が透光性カバーに設けてある開口面積を小さくしたスリット（虫導入孔）だけであったので、このスリット部分を通過すれば直ぐ逃げることで可能であった。そのため一旦入り込んだ虫でも逃げられてしまう可能性が高かった。
【０００５】
▲２▼虫の死骸が透光性カバーの底部のあちこちに溜まるので、死骸の廃棄処理を行う際の洗浄は、透光性カバーの底部全体にわたって行わなければならず、手間がかかっていた。また、透光性カバーの底部が虫集積部となっていたので、死骸の廃棄処理をする際には、大きな透光性カバー自体を外さなければならず、取り扱いがし難かった。
【０００６】
▲３▼虫導入孔が透光性カバーの側部に設けられていたので、点灯した場合では光が人の目線に入る位置から外部に漏れていた。虫は光に集まるので、この場合では人の目に入るところに虫が集まり、集まった虫が目に付き易かった。従って、例えば夜間営業をしている店内に設置した場合では、かえって不衛生な印象を与えてしまうことがあった。
【０００７】
▲４▼上記捕虫装置は、室内用ということで特に雨などの水の浸入に対する対策がとられていなかった。従って、例えば仮に屋外で使って水が入った場合では、内部に溜まった虫の死骸が腐敗してしまい悪臭を放つことがあった。
【０００８】
（本発明の目的）
本発明の目的は、一旦内部に入った虫が外部に逃げ難いようにして捕獲効率が良好な捕虫装置を提供することにある。
また、本発明の他の目的は、捕獲した虫の廃棄処理が簡単にできる捕虫装置を提供することにある。
更に、本発明の他の目的は、光に集まった虫が目立ち難くできる捕虫装置を提供することにある。
更にまた、本発明の他の目的は、ケース内に雨水等が浸入しても内部に溜まらないようにする捕虫装置を提供することにある。
【０００９】
【課題を解決するための手段】
上記目的を達成するために講じた本発明の手段は次のとおりである。
第１の発明にあっては、
虫を誘引して捕獲する捕虫装置であって、
内部に空間部を有する捕虫ケースと、
虫を捕虫ケース内部に誘引する誘引灯と、
誘引灯の光を捕虫ケース外部へ出し、かつ、虫を捕虫ケース内部に導入する虫導入口と、
虫導入口から捕虫ケース内部に入った虫が捕虫ケース外部へ逃げ難いようにする虫かえし手段と、
捕虫ケースに着脱可能に設けられ、虫の死骸を集めるための虫集積部と、
捕虫ケース内部に入った虫を虫集積部に導入する集積部導入口と、
虫集積部内部に入った虫が虫集積部外部へ逃げ難いようにする虫かえし手段と、
を備えていることを特徴とする、
捕虫装置である。
【００１０】
第２の発明にあっては、
虫を誘引して捕獲する捕虫装置であって、
内部に空間部を有する捕虫ケースと、
虫を捕虫ケース内部に誘引する誘引灯と、
誘引灯の光を捕虫ケース外部へ透過させる透光部と、
透光部またはその近傍に設けてあり、虫を捕虫ケース内部に導入する虫導入口と、
虫導入口から捕虫ケース内部に入った虫が捕虫ケース外部へ逃げ難いようにする虫かえし手段と、
捕虫ケースに着脱可能に設けられ、虫の死骸を集めるための虫集積部と、
捕虫ケース内部に入った虫を虫集積部に導入する集積部導入口と、
虫集積部内部に入った虫が虫集積部外部へ逃げ難いようにする虫かえし手段と、
を備えていることを特徴とする、
捕虫装置である。
【００１１】
第３の発明にあっては、
虫集積部は、虫が重力によって落ちて集められる箇所に設けてあることを特徴とする、
第１または第２の発明に係る捕虫装置である。
【００１２】
第４の発明にあっては、
虫導入口が捕虫ケースの上面となる位置に設けてあり、捕虫ケースの上面以外からは光が実質的に外部に漏れないようにしてあることを特徴とする、
第１，第２または第３の発明に係る捕虫装置である。
【００１３】
第５の発明にあっては、
虫集積部は、捕虫ケース内部に浸入した水が溜まらないようにする水抜き手段を備えていることを特徴とする、
第１，第２，第３または第４の発明に係る捕虫装置である。
【００１４】
（作　用）
本発明に係る捕虫装置は、例えば、壁面に設置され、誘引灯を点灯して使用される。誘引灯を点灯することにより、光が虫導入口等から外部に漏れ、虫が光に引き寄せられて集まる。集まった虫は、誘引灯の光に誘引されて虫導入口を通って捕虫ケース内部に入り込む。捕虫ケース内部に入り込んだ虫は、集積部導入口を通って虫集積部で集められる。
【００１５】
本発明に係る捕虫装置は、虫導入口から捕虫ケース内部に入った虫が捕虫ケース外部へ逃げ難いようにする虫かえし手段と、虫集積部内部に入った虫が虫集積部外部へ逃げ難いようにする虫かえし手段の二つの逃げ難くする虫かえし手段を備えているので、捕虫ケース内部に入り込んで飛び回っている虫が、一旦、虫集積部内部へ入り込んだ場合では逃げられる可能性が低く、捕獲効率が良好である。
【００１６】
本発明に係る捕虫装置では、捕虫ケース内部に入り込んだ虫が死骸となって虫集積部で集められ、虫集積部が捕虫ケースに着脱可能に設けられているので、虫集積部内部に集められた虫は、虫集積部を捕虫ケースより取り外して廃棄処理される。従って、廃棄処理が簡単である。
【００１７】
虫集積部が、重力によって落ちて集められる箇所に設けてあるものは、虫が虫集積部に集中して集められるので、死骸の廃棄処理を行う際の洗浄は虫集積部だけで良く、廃棄処理が簡単である。
【００１８】
虫導入口が捕虫ケースの上面となる位置に設けてあり、捕虫ケースの上面以外からは光が実質的に外部に漏れないようにしてあるものは、例えば、本発明に係る捕虫装置を人の目線より高い位置の壁面に設置することにより、光が人の目に入らないようにできる。虫は光に集まるので、この場合では、虫が捕虫ケースの上方に集まるようにでき、人の目に付き難くできる。従って、捕虫装置は、不衛生な印象を与え難い。
【００１９】
虫集積部が、捕虫ケース内部に浸入した水が溜まらないようにする水抜き手段を備えているものは、例えば、雨水が捕虫ケース内部に侵入した場合でも外部に排水でき、水が内部で溜まらない。
【００２０】
【発明の実施の形態】
本発明の実施の形態を図面に基づき更に詳細に説明する。
図１は本発明に係る捕虫装置の一実施の形態を示しており、壁面に取り付けた使用状態を表す説明図、
図２は図１に示す捕虫装置であり、捕虫ケースの一部を切欠して内部構造を示す正面説明図、
図３は図１に示す捕虫装置を縦方向に断面した状態を示す拡大断面説明図、
図４は虫集積部材を捕虫ケースより取り外した状態を示す分解斜視説明図、
図５は虫集積部材と、虫集積部材を取り外した捕虫ケースを下方から見た状態を示す分解斜視説明図である。
【００２１】
符号Ｈは捕虫装置を示している。捕虫装置Ｈは、捕虫ケース１と、捕虫ケース１内部に設けてある誘引灯３と、捕虫ケース１の下端部に着脱可能に設けられ、虫の死骸を集めて溜めるための虫集積部材５を備えている。捕虫ケース１と虫集積部材５の正面及び側面には、化粧シートを粘着または接着して装飾が施してある。
【００２２】
捕虫ケース１は、ケース本体１０と、ケース本体１０の裏面を構成する裏板部材１１を備えている。
ケース本体１０は、所要形状を有する板材を組み合わせて、所要の厚みを有し、厚みを形成する板材と正面板の内面が下方に向かって窄まった正面視略逆台形状に形成されている。ケース本体１０の上部と下部は開口しており、内部には空間部が形成されている。ケース本体１０の裏面側には、裏板部材１１で閉塞される開口部１００が形成されている。開口部１００は、裏面全体の大きさよりやや小さく、裏面の周りに縁部が残るように形成してある。開口部１００の上縁の両端には、裏板部材１１を取り付けるための係合溝１０１，１０１が凹状に切り欠いて形成されている。
【００２３】
ケース本体１０の下部側には、裏板部材１１を蝶ボルト・ナットＮで連結するための板状の連結部材１０２が、正面板の裏面から内方に突出して設けてある。また、ケース本体１０の厚みを形成する板材の両下縁部には、虫集積部材５を水平方向（前後方向）にスライドさせて着脱可能にするためのレール部材１０３，１０３が設けてある。更に、ケース本体１０の正面板の下縁部には、虫集積部材５を所定の位置で停止させるためのストッパー部材１０４が下方に突出して設けてある。
【００２４】
裏板部材１１は、開口部１００と対応する形状に形成してあり、係合溝１０１，１０１と係り合う箇所には上方に突出した係合片１１０，１１０が形成されている。また、裏板部材１１の下縁部には、連結部材１０２と蝶ボルト・ナットＮで連結するための連結部材１１１が、ケース本体１０の内方に突出して設けてある。
【００２５】
裏板部材１１の表面には、虫を捕虫ケース内部に誘引する誘引灯３が設けられている。誘引灯３には、雨等によって濡れないようにカバー３０で覆って防水処理が施されている。本実施の形態で誘引灯３は蛍光ランプを使用した。なお、蛍光ランプは公知のものを使用したので、構造についての詳細な説明は省略する。しかし、誘引灯は蛍光ランプに限定するものではなく、虫の誘引効果を有しているものであれば他の種類のランプが使用可能である。また、図において誘引灯３に電気を供給するための電源コードは図示を省略した。
【００２６】
ケース本体１０の上部開口部には、虫を捕虫ケース１内部に導入する虫導入口１２が形成されている。虫導入口１２は、開口した状態の捕虫ケース１の上部に、薄板状で所要長さを有する二枚の導入口構成板１２０，１２０を設けて、開口部を狭めて形成されている。各導入口構成板１２０は両端側が上方に向けて折り曲げてあり、この折り曲げた部分をケース本体１０の厚みを形成する板材に取り付けて設けてある。詳しくは、二枚の導入口構成板１２０，１２０を開口部の長辺側に対向するように沿わせて、表面を内下方へ傾斜させて設けてある。こうして導入口構成板１２０，１２０により虫かえし手段が構成されている。本実施の形態で示す虫導入口１２と虫かえし手段の関係は、虫導入口１２が虫かえし手段を備えているということもできるし、また、虫かえし手段が虫導入口を備えているということもできる。
【００２７】
導入口構成板１２０，１２０は、誘引灯３の光を捕虫ケース１外部へ透過させる透光部を構成するように透光性を有する透明な合成樹脂材料（例えば、アクリル樹脂、ポリカーボネート等）で形成してある。しかし、導入口構成板１２０，１２０を形成する材料は、これに限定するものではなく、例えば、透光性を有する不透明体または半透明体で形成したものや、透光性を持たない不透明体で形成したものを使用することもできる。また、材質も合成樹脂以外に、金属や木材等が使用できる。
【００２８】
ケース本体１０の下部開口部近傍の空間部には、捕虫ケース１内部に入り込んだ虫を更に虫集積部材５内へ導入する集積部導入口１３が形成されている。集積部導入口１３は、略長方形状の薄板を所要角度に折り曲げて形成した二枚の導入口構成板１３０，１３０を捕虫ケース１下部の両短辺側に設けて、開口部を狭めて形成されている。導入口構成板１３０，１３０は、集積部導入口１３を形成する部分が内下方に向かって互いに傾斜するように取り付けてある。こうして導入口構成板１３０，１３０により虫かえし手段が構成されている。
【００２９】
導入口構成板１３０，１３０は、透光性を有する透明な合成樹脂材料で形成してある。しかし、導入口構成板１３０，１３０を形成する材料は、上記した導入口構成板１２０，１２０と同様に、特に限定するものではない。
【００３０】
虫集積部材５は、ケース本体１０と略同じ厚みを有し、厚みを形成する板材と正面板の内面が下方に向かって窄まった正面視正三角形状に形成されている。虫集積部材５の上部は開口しており、内部には空間部（集積部５０）が形成されている。虫集積部材５の裏面（背面）は、集積した虫が通過しない隙間（網目）を有する金網５１を張設して形成してある。虫集積部材５の厚みを形成する板材の両上縁部には、レール部材１０３，１０３に引っ掛け、水平方向にスライドして着脱できるようにするための引掛部材５２，５２が設けてある。本実施の形態で金網５１は、捕虫ケース１内に浸入した水が溜まらないようにするための水抜き手段を構成している。
【００３１】
虫集積部材５は、引掛部材５２，５２をレール部材１０３，１０３に引っ掛けて水平方向にスライドさせることで、ケース本体１０の窄まった下端部に取り付け可能である。
捕虫装置Ｈは、捕虫ケース１に虫集積部材５が取り付けられた状態で正面視正三角形状を有し、意匠的に違和感のない形状となる。
【００３２】
本実施の形態で示すケース本体１０、裏板部材１１、虫集積部材５は、内面に反射性を備える金属板を組み合わせて形成したが、これは限定するものではなく、例えば、合成樹脂や木材で形成することもできるし、内面に反射性を備えないもので形成することもできる。
【００３３】
本実施の形態において捕虫ケース１と虫集積部材５は、正面及び側面に粘着シートを貼って装飾を施したものを示したが、これは限定するものではなく、例えば、装飾は塗装によって行うこともできるし、特に装飾を施さず素材自体の質感により装飾効果が得られるようにすることもできる。
【００３４】
（作　用）
図１ないし図５を参照して本実施の形態で示す捕虫装置Ｈの作用を説明する。
捕虫装置Ｈは、通常、人の目線より高い位置の壁面Ｗに設置される（図１参照）。　捕虫装置Ｈは、次のようにして壁面Ｗに取り付けられる。
【００３５】
まず、取付作業がし易いように虫集積部材５を捕虫ケース１から取り外しておく。そして、捕虫ケース１をケース本体１０と裏板部材１１に分解する。分解した裏板部材１１を壁面Ｗの所要の位置に当て、取付位置が決まったら木ねじＢを壁面Ｗにねじ込んで裏板部材１１を壁面Ｗに固定する。なお、いうまでもないが裏板部材１１の固定の際に、誘引灯３に電気を供給するための配線も完了させる。
【００３６】
次に、壁面Ｗに固定された裏板部材１１にケース本体１０を取り付ける。ケース本体１０は、開口部１００の上部に形成された係合溝１０１，１０１を、裏板部材１１の係合片１１０，１１０に引っ掛けて、更に連結部材１１１と連結部材１０２を重ね合わせて蝶ボルト・ナットＮで連結することで、裏板部材１１に取り付けられる。
【００３７】
虫集積部材５は、壁面Ｗに捕虫ケース１を取り付けた後に、正面側から引掛部材５２，５２をレール部材１０３，１０３に引っ掛けて水平方向に押し込むことで捕虫ケース１に取り付けられる。虫集積部材５は、ケース本体１０の正面板側の下縁部にストッパー部材１０４が設けてあるので、適当に押し込んでも正面板の裏側がストッパー部材１０４と当たって所定の位置で停止する。このとき捕虫ケース１の表面と虫集積部材５の表面は、略面一の状態になる。
【００３８】
壁面Ｗに設置された捕虫装置Ｈは、誘引灯３を点灯して使用される。誘引灯３を点灯することにより、光が虫導入口１２自体からと導入口構成板１２０，１２０を透過して外部に漏れる。なお、虫集積部材５を取り付けた状態の捕虫装置Ｈにおいて光は、虫導入口１２と導入口構成板１２０，１２０以外からは実質的に外部に漏れないようになっている。
【００３９】
このように誘引灯３を点灯することにより、外部に漏れた光に引き寄せられて虫が捕虫ケース１０の上部に集まる。虫は光源である誘引灯３に更に近づくために自ら虫導入口１２を通って内部に入り込んだり、下方に傾斜した導入口構成板１２０，１２０上に止まることで滑って重力により虫導入口１２から内部に入り込んだりする。
【００４０】
捕虫ケース１内に入り込んだ虫は、捕虫ケース１内を飛び回ったり、ケース内の所要箇所に止まったりする。このように捕虫ケース１内に入り込んだ虫は、虫導入口１２の開口部が狭く、また、虫かえし手段を構成する導入口構成板１２０，１２０が内下方に傾斜して設けてあり、外部から内部には入り易く、内部から外部には出難くしてあるので逃げ難い。また、導入口構成板１２０，１２０を透明な部材で形成して虫から外部が見えるようにし、虫導入口１２を見付け難くしたので、更に逃げ難くもなっている。
【００４１】
更に捕虫ケース１内に入り込んだ虫は、捕虫ケース１内を飛び回ったり、力尽きて重力により落下し、ケース本体１０の内面や導入口構成板１３０，１３０上を滑ったりして、集積部導入口１３を通って虫集積部材５の内部に入り込む。捕虫ケース１内で力尽きた虫は、このようにして虫集積部材５内に集められる。また、捕虫ケース１内を飛び回るうちに虫集積部材５内に入り込んだ虫も、虫かえし手段を構成する導入口構成板１３０，１３０が互いに内下方に傾斜して設けてあり、外部から内部には入り易く、内部から外部には出難くしてあり、更に透明な部材で形成してあるので逃げ難い。従って、虫集積部材５内に入り込んだ虫の場合でも、虫集積部材５から逃げ出せないまま力尽きて、虫集積部材５内で集められる。
【００４２】
即ち、捕虫装置Ｈは、捕虫ケース１内に、虫導入口１２から捕虫ケース１内部に入った虫が捕虫ケース１外部へ逃げ難いようにする手段と、虫集積部材５内部に入った虫が虫集積部材５外部へ逃げ難いようにする手段の二つの逃げ難くする手段を備えているで、一旦、虫集積部材内へ入り込んだ虫が逃げられる可能性が低く、捕獲効率が良好である。
【００４３】
虫集積部材５内に集められた虫は、虫集積部材５をスライドさせ捕虫ケース１０より取り外して廃棄処理される。このように捕虫装置Ｈでは、虫が下端部に設けられている虫集積部材５内に集められ、しかも虫集積部材５のみが捕虫ケース１０より着脱可能なので、死骸の廃棄処理を行う際の洗浄は虫集積部材５だけで良く、廃棄処理が簡単である。
【００４４】
捕虫装置Ｈは、人の目線より高い位置の壁面Ｗに設置されており、誘引灯３の光が、虫導入口１２と導入口構成板１２０，１２０からのみ、即ち、捕虫ケース１の上面となる位置からのみ外部に漏れるようにしてあるので、虫が捕虫装置Ｈの上方に集まるようにでき、人の目に付き難くできる。従って、捕虫装置Ｈは、不衛生な印象を与え難い。
また、捕虫装置Ｈは、光が人の目に入らないので、間接照明としても使用でき、雰囲気を良好にする装飾装置としても使用できる。
【００４５】
捕虫装置Ｈは、下端部に設けられる虫集積部材５の裏面が、金網５１を張設して形成してあるので、雨水が捕虫ケース１内に侵入した場合でも、金網５１の隙間を通って外部に排水できる。従って、侵入した水は内部で溜まらない。
【００４６】
本実施の形態で示す捕虫装置Ｈは、捕虫ケースと虫集積部材５を組み合わせたときの形状が正面視正三角形状を有するように形成したが、捕虫装置Ｈの形状は特に限定するものではなく、虫集積部で虫を集めることができ、しかも虫集積部が着脱可能な構造であれば良い。例えば、正面視三角形状（二等辺三角形状、直角三角形状を含む）、正面視四角形状（菱形状、平行四辺形状、台形状を含む）、正面視五角形状、正面視六角形状、正面視七角形状、正面視八角形状、それ以上の角形状、正面視円形形状（楕円形状を含む）等を挙げることができる。
【００４７】
虫集積部材５の裏面は金網で形成したが、これは限定するものではなく、捕虫ケース１内に浸入した雨水等が外部に排水できれば、他の構造のものを使用することができる。また、他に排水手段を設ければ、虫集積部材５の裏面は金網等で形成する必要もない。
【００４８】
本実施の形態で示す虫集積部材５は、手前にスライドして捕虫ケース１から取り外せる構造のものにしたが、虫集積部材の着脱可能な取り付け構造は、これに限定するものではなく、例えば、捕虫ケースの下縁部から取着部材を垂下させて、この取着部材にボルトナットやフック（ホック）等で取り付けるようにすることもできる。
【００４９】
また、本実施の形態で誘引灯３の光は、虫導入口１２と導入口構成板１２０，１２０を捕虫ケース１の上部に設けて、捕虫ケース１の上面となる位置からのみ外部に漏れるようにしたが、これは限定するものではなく、例えば、虫導入口や導入口構成板を側面に設けて、側面から光が漏れるようにすることもできる。
【００５０】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００５１】
【発明の効果】
本発明は上記構成を備え、次の効果を有する。
（ａ）本発明に係る捕虫装置は、虫導入口から捕虫ケース内部に入った虫が捕虫ケース外部へ逃げ難いようにする虫かえし手段と、虫集積部内部に入った虫が虫集積部外部へ逃げ難いようにする虫かえし手段の二つの逃げ難くする虫かえし手段を備えているので、捕虫ケース内部に入り込んで飛び回っている虫が、一旦、虫集積部内部へ入り込んだ場合では逃げられる可能性が低く、捕獲効率が良好である。
【００５２】
（ｂ）本発明に係る捕虫装置では、捕虫ケース内部に入り込んだ虫が死骸となって虫集積部で集められ、虫集積部が捕虫ケースに着脱可能に設けられているので、虫集積部内部に集められた虫は、虫集積部を捕虫ケースより取り外して廃棄処理される。従って、廃棄処理が簡単である。
【００５３】
（ｃ）虫集積部が、重力によって落ちて集められる箇所に設けてあるものは、虫が虫集積部に集中して集められるので、死骸の廃棄処理を行う際の洗浄は虫集積部だけで良く、廃棄処理が簡単である。
【００５４】
（ｄ）虫導入口が捕虫ケースの上面となる位置に設けてあり、捕虫ケースの上面以外からは光が実質的に外部に漏れないようにしてあるものは、例えば、本発明に係る捕虫装置を人の目線より高い位置の壁面に設置することにより、光が人の目に入らないようにできる。虫は光に集まるので、この場合では、虫が捕虫ケースの上方に集まるようにでき、人の目に付き難くできる。従って、捕虫装置は、不衛生な印象を与え難い。
【００５５】
（ｅ）虫集積部が、捕虫ケース内部に浸入した水が溜まらないようにする水抜き手段を備えているものは、例えば、雨水が捕虫ケース内部に侵入した場合でも外部に排水でき、水が内部で溜まらない。
【図面の簡単な説明】
【図１】本発明に係る捕虫装置の一実施の形態を示しており、壁面に取り付けた使用状態を表す説明図。
【図２】図１に示す捕虫装置であり、捕虫ケースの一部を切欠して内部構造を示す正面説明図。
【図３】図１に示す捕虫装置を縦方向に断面した状態を示す拡大断面説明図。
【図４】虫集積部材を捕虫ケースより取り外した状態を示す分解斜視説明図。
【図５】虫集積部材と、虫集積部材を取り外した捕虫ケースを下方から見た状態を示す分解斜視説明図。
【符号の説明】
Ｈ　捕虫装置
Ｂ　木ねじ
Ｎ　蝶ボルト・ナット
Ｗ　壁面
１　捕虫ケース
１０　ケース本体
１００　開口部
１０１　係合溝
１０２　連結部材
１０３　レール部材
１０４　ストッパー部材
１１　裏板部材
１１０　係合片
１１１　連結部材
１２　虫導入口
１２０　導入口構成板
１３　集積部導入口
１３０　導入口構成板
３　誘引灯
３０　カバー
５　虫集積部材
５０　集積部
５１　金網
５２　引掛部材
【図１】
2004081081.tif 000003
【図２】
2004081081.tif 000004
【図３】
2004081081.tif 000005
【図４】
2004081081.tif 000006
【図５】
2004081081.tif 000007